(57)【要約】      （修正有）【課題】安価に製造することができると共に、軽量であって容易に移動することができる健康椅子を提供する。【解決手段】座部１の後部には支持板５を立設し、該支持板５の前面５ｂには使用者の腰部７に適合する腰部用膨出体９を突設し、該支持板５の上部５ｃには使用者の頭部１１を支える凹部を有する頭部用支持体１５を備えた。前記支持板５の前面５ｂには、更に、使用者の背部に適合する背部用膨出体を突設してもよい。【選択図】図１
0003204103.tif 000002
【実用新案登録請求の範囲】
【請求項１】
座部の後部には支持板を立設し、該支持板の前面には使用者の腰部に適合する腰部用膨出体を突設し、該支持板の上部には使用者の頭部を支える凹部を有する頭部用支持体を備えさせたことを特徴とする健康椅子。
【請求項２】
前記支持板の前面には、更に、使用者の背部に適合する背部用膨出体を突設したことを特徴とする請求項１に記載の健康椅子。
【考案の詳細な説明】
【技術分野】
【０００１】
本考案は、健康椅子に関するものであり、特に、使用者の姿勢を矯正し、呼吸を楽にし、腰痛、肩こり等を緩和させるようにした健康椅子に係るものである。
【背景技術】
【０００２】
椅子に内設したローラーを電気モータにより往復揺動させるようにした電動マッサージ椅子は、例えば実用新案登録第３０８７５０２号公報に示すように、従来より広く知られている。
【先行技術文献】
【特許文献】
【０００３】
【特許文献１】実用新案登録第３０８７５０２号公報
【考案の概要】
【考案が解決しようとする課題】
【０００４】
上記従来の電動マッサージ椅子は、一定のマッサージ効果を発揮し得るものではあるが、椅子に内設したローラーを電気モータにより往復揺動させるようにしているため、製造コストが嵩むだけでなく、重量が大きく、移動し難いという難点がある。
【０００５】
上記従来の電動マッサージ椅子における上述の如き状況に鑑み、本考案は、安価に製造することができると共に、軽量であって容易に移動することができる健康椅子を提供しようとしてなされたものである。
【課題を解決するための手段】
【０００６】
上記課題を解決するために、本考案は、下記の健康椅子を提供する。
【０００７】
（１）座部の後部には支持板を立設し、該支持板の前面には使用者の腰部に適合する腰部用膨出体を突設し、該支持板の上部には使用者の頭部を支える凹部を有する頭部用支持体を備えさせたことを特徴とする健康椅子（請求項１）。
【０００８】
（２）前記支持板の前面には、更に、使用者の背部に適合する背部用膨出体を突設する（請求項２）。
【考案の効果】
【０００９】
［請求項１の考案］
健康椅子の使用時には、使用者は座部上に腰かけ、腰部を腰部用膨出体に当接させると共に頭部を頭部用支持体の凹部に支えさせる。腰部用膨出体は支持板の前面に突設されているため、支持板の下部前面と使用者の臀部との間に空間が存在する。また、使用者は肘を後方に自由に動かすことができる。したがって、このように健康椅子を使用したときには、使用者の背筋が伸びて胸を張った状態となり、呼吸が楽になる。すなわち、使用者はリラックスした状態となり、使用者の姿勢が矯正され、腰痛、肩こり等が緩和される。この健康椅子は、構造が簡単であるため、安価に製造することができると共に、軽量であって容易に移動することができる。
【００１０】
［請求項２の考案］
前記支持板の前面には、更に、使用者の背部に適合する背部用膨出体を突設しているため、上記効果は一層高まる。
【図面の簡単な説明】
【００１１】
【図１】図１は、本考案による健康椅子の一例を示す側面図である。
【図２】図２は、本考案による健康椅子の別の一例を示す側面図である。
【図３】図３は、本考案による健康椅子の更に別の一例を示す側面図である。
【図４】図４は、図１〜図３の１Ｖ−１Ｖ線端面図である。
【図５】図５は、図２、図３のＶ−Ｖ線端面図である。
【図６】図６は、図３のＶ１−Ｖ１線端面図である。
【図７】図７は、図１の健康椅子を示す正面図である。
【図８】図８は、頭部用支持体の平面図である。
【図９】図９は、座部の平面図である。
【図１０】図１０は、頭部用支持体の高さ調整手段の一例を示す断面図である。
【図１１】図１１は、同上高さ調整手段における長孔を示す背面図である。
【考案を実施するための形態】
【００１２】
符号１に示すものは、本考案による健康椅子の座部である。符号３に示すものは、座部１を支持する脚である。図９に示す事例においては、座部１は前部１ａを、使用者が脚部２、２を位置させ易いように、湾曲させている。
【００１３】
座部１の後部には支持板５を立設する。支持板５は、一例として、座部１における後端の中央部に垂直に立設する。支持板５の左右方向の幅５ａは、図７に示すように、座部１の左右方向の幅１ｂよりも小さくなるようにすることが望ましい。
【００１４】
支持板５の前面５ｂには使用者の腰部７に適合する腰部用膨出体９を突設する。腰部用膨出体９は、例えば、木材の表面にクッションを備えさせてなるもの、あるいは低反発素材等により形成される。腰部用膨出体９は、人体における腰部７の好ましい表面形状に対応する表面形状を備え、使用者の腰部７に適合する位置に配設される。支持板５の下部における前面５ｂと使用者の臀部１０との間に空間１２が存在する。
【００１５】
支持板５の上部５ｃには使用者の頭部１１を支える凹部１３を有する頭部用支持体１５を備えさせる。
【００１６】
頭部用支持体１５は、一例として、使用者１１の頭部を支える凹部１３を備えた頭部板１７を使用者の頭部１１の高さに応じて高さ調節自在になるように支持板５の上部５ｃに備えさせる。頭部板１７を高さ調節自在にするために、例えば、図１１、図１２に示すように、頭部板１７の下面に高さ調節板１９を取り付け、該高さ調節板１９には上下方向の長穴２１を備えさせ、支持板５の上部５ｃには雌ねじ体２３を前後方向に取り付け、該雌ねじ体２３には該長穴２１を貫通して蝶ねじ２５を螺合させる。この事例においては、頭部板１７を使用者の頭部１１の高さに応じて高さ調節した状態で蝶ねじ２５を雌ねじ体２３に締め付ける。符号２６に示すものは座金である。
【００１７】
前記支持板５の前面５ｃには、更に、使用者の背部２７に適合する背部用膨出体２９を突設する。背部膨出体２９は、例えば、木材の表面にクッションを備えさせてなるもの、あるいは低反発素材等により形成される。背部用膨出体２９は、人体における背部２７の好ましい表面形状に対応する表面形状を備え、使用者の背部２７に適合する位置に配設される。図２参照。
【００１８】
図３に示す事例は、支持板５の前面５ｃに腰部用膨出体９と背部用膨出体２９とを連続的に突設したものであるが、この事例も本願の請求項２に含まれる。
【符号の説明】
【００１９】
１  座部
１ａ  前部
１ｂ  幅
２  脚部
３  脚
５  支持板
５ａ  幅
５ｂ  前面
５ｃ  上部
７  使用者の腰部
９  腰部用膨出体
１０  使用者の臀部
１１  使用者の頭部
１２  空間
１３  凹部
１５  頭部用支持体
１７  頭部板
１９  高さ調節板
２１  長穴
２３  雌ねじ体
２５  蝶ねじ
２６  座金
２７  使用者の背部
２９  背部用膨出体
【図１】
0003204103.tif 000003
【図２】
0003204103.tif 000004
【図３】
0003204103.tif 000005
【図４】
0003204103.tif 000006
【図５】
0003204103.tif 000007
【図６】
0003204103.tif 000008
【図７】
0003204103.tif 000009
【図８】
0003204103.tif 000010
【図９】
0003204103.tif 000011
【図１０】
0003204103.tif 000012
【図１１】
0003204103.tif 000013